(57)【要約】      （修正有）【課題】人が腰掛けるときに、最後まで安心してゆっくりと腰掛けることのできる起立補助椅子を提供する。  【解決手段】起立補助椅子は、座板23と、座板支持台21と、前方斜め上方に向かって座板23を押し上げる付勢力を発揮し得るガススプリング37とを備える。座板23の裏面前半分の領域にスチール板29が取り付けられている。スチール板29は、ガススプリング37の前端部を回動可能に支持するＵ溝39a が体重別に複数備えられた溝列39を備える。そして、見かけ密度が５０〜６５ｋｇ／ｍ３の低反発ポリウレタンフォームで形成され、座板支持台21のリンク49の根元から後端部エッジの付近までの長さと、座板支持台21の左右側部エッジ間の距離とほぼ等しい幅と、前端部で４〜６ｃｍ、後端部で２〜３ｃｍの厚さを有するダンパー部材を、樹脂コーティングにより防水加工したカバーに入れて座板支持台21に設置する。【選択図】  図７
0003100983.tif 000002
【実用新案登録請求の範囲】
【請求項１】
互いの前端部を支点として回動可能に取り付けられた座板と座板支持台とを有する座部と、
前記座板に前端が取り付けられると共に前記座板支持台に後端が取り付けられ、前方斜め上方に向かって付勢力を発揮し得るガススプリングとを備え、
利用者が起立する際に、前記ガススプリングの付勢力で前記座板を前方斜め上方に押し上げることにより、起立を補助する様にした椅子において、
前記座板と前記座板支持台の間に、利用者が着座する際に前記座板と前記座板支持台とに挟まれてつぶれるような厚みのある低反発ポリウレタンフォームのダンパー部材を設けたこと
を特徴とする起立補助椅子。
【請求項２】
請求項１記載の起立補助椅子において、
前記ダンパー部材は、見かけ密度が３０〜７０ｋｇ／ｍ３  の低反発ポリウレタンフォームでできており、前記座板或いは前記座板支持台の少なくとも一方に取り付けられ、前端部が厚さ４ｃｍ以上で前記座部の中央部まで達していること
を特徴とする起立補助椅子。
【請求項３】
請求項２記載の起立補助椅子において、
前記ダンパー部材は、その前端部が厚さ４〜６ｃｍで、後端部に向かって、厚みが徐々に薄くなる様に構成されていること
を特徴とする起立補助椅子。
【請求項４】
互いの前端部を支点として回動可能に取り付けられた座板と座板支持台とを有する座部と、
前記座板に前端が取り付けられると共に前記座板支持台に後端が取り付けられ、前方斜め上方に向かって付勢力を発揮し得るガススプリングとを備え、
前記座板が、表面にクッション部が取り付けられた可撓性のある材料で形成されると共に、裏面の前半分の領域に補強用金属板が取り付けられたものであり、
前記補強用金属板には、前記ガススプリングの前端部を回動可能に支持する支持溝が体重別に複数備えられたスプリング前端支持部材が備えられており、
前記座板支持台は、左右側部と後端部に立ち上がりエッジが備えられた前記座板と重なる大きさを有し、その中央よりも後方の部分に前記ガススプリングの後端部を回動可能に支持するスプリング後端支持部材を備えており、
前記座板の後端部と前記座板支持台の中央部とを連結するリンク部材が備えられ、
前記座板が、前記ガススプリングの付勢力で前方斜め上方に押し上げられると共に後端部の上昇を前記リンク部材で制限されることにより、全体として湾曲した状態に起き上がる様に構成された起立補助椅子において、
見かけ密度が５０〜６５ｋｇ／ｍ３  の低反発ポリウレタンフォームで形成され、前記座板支持台の前記リンク部材の根元から後端部エッジの付近までの長さと、前記座板支持台の左右側部エッジ間の距離とほぼ等しい幅と、前端部で４〜６ｃｍ、後端部で２〜３ｃｍの厚さを有するダンパー部材を、樹脂コーティングにより防水加工したカバーに入れて前記座板支持台に設置したこと
を特徴とする起立補助椅子。
【考案の詳細な説明】
【技術分野】
【０００１】
この考案は、例えば、老人や身体障害者等の足腰の弱い人が使用するのに適した起立補助椅子に関する。
【背景技術】
【０００２】
従来より、老人や身体障害者等の足腰の弱い人が、椅子に腰掛けたり立ち上がったりする際に、腰や膝にかかる負担を軽減するような起立補助椅子がある。この起立補助椅子は、座部と座部支持台部とがあり、座部の前端部が座部支持部材に軸着されるとともに、座部と座部支持部材との間に介在されたガススプリングを設けている。（特許文献１）。
【特許文献１】特開２０００−１１６７１２号（要約）
【０００３】
この椅子は、ガススプリングの反発弾性により、座部の後端部が跳ね上げられる様になっているので、重心が前に移る様に着座者の尻を持ち上げることができる。したがって、着座者は楽に立ち上がることができる。
【考案の開示】
【考案が解決しようとする課題】
【０００４】
ここで、この起立補助椅子にすわるとき、最初は座部がガススプリングの弾性反発力を受けてゆっくり下がっていく。しかし、座部が下がりきろうとするとき、急にガクンとなる。このため、身体障害者や老人は、この起立補助椅子に腰掛けるときに、違和感を感じたり、不安に思ったりする。
【０００５】
そこで、本考案は、人が腰掛けるときに、最後まで安心してゆっくりと腰掛けることのできる起立補助椅子を提供することを目的とする。
【課題を解決するための手段】
【０００６】
上記目的を達成するためになされた本考案の起立補助椅子は、互いの前端部を支点として回動可能に取り付けられた座板と座板支持台とを有する座部と、前記座板に前端が取り付けられると共に前記座板支持台に後端が取り付けられ、前方斜め上方に向かって付勢力を発揮し得るガススプリングとを備え、利用者が起立する際に、前記ガススプリングの付勢力で前記座板を前方斜め上方に押し上げることにより、起立を補助する様にした椅子において、前記座板と前記座板支持台の間に、利用者が着座する際に前記座板と前記座板支持台とに挟まれてつぶれるような厚みのある低反発ポリウレタンフォームのダンパー部材を設けたことを特徴とする。
【０００７】
本考案の起立補助椅子によれば、腰掛ける前は、座板はガススプリングによって、前方斜め上方向に付勢された状態になっている。この状態から、座板に腰掛けると、座板は、ガススプリングに支えられながら、下方に回動する。このとき、ガススプリングの角度が水平に近づいていき、水平に対する角度が所定以下になると、ガススプリングが座板を支え切れなくなる。しかし、本考案の起立補助椅子によれば、座板と座板支持台の間に、低反発ポリウレタンフォームのダンパー部材を備えているので、ガススプリングが座板を支え切れなくなっても、ダンパー部材が座板を支える。従って、座板と座板支持台とが閉じるまで、座板は、ゆっくりと下方に回動する。
【０００８】
ここで、本考案の起立補助椅子において、前記ダンパー部材は、見かけ密度が３０〜７０ｋｇ／ｃｍ３  の低反発ポリウレタンフォームでできており、前記座板或いは前記座板支持台の少なくとも一方に取り付けられ、前端部が厚さ４ｃｍ以上で前記座部の中央部まで達している様に構成するとよい。この様に構成することで、確実なダンパー効果が得られる。
【０００９】
ここで、より望ましくは、上記本考案の起立補助椅子において、前記ダンパー部材は、その前端部が厚さ４〜６ｃｍで、後端部に向かって、厚みが徐々に薄くなる様に構成されているとよい。この様に構成することでダンパー効果を確実に得ると共に、座板が下がりきらない現象を排除することができる。
【００１０】
また、さらに望ましい態様としての本考案の起立補助椅子は、互いの前端部を支点として回動可能に取り付けられた座板と座板支持台とを有する座部と、前記座板に前端が取り付けられると共に前記座板支持台に後端が取り付けられ、前方斜め上方に向かって付勢力を発揮し得るガススプリングとを備え、前記座板が、表面にクッション部が取り付けられた可撓性のある材料で形成されると共に、裏面の前半分の領域に補強用金属板が取り付けられたものであり、前記補強用金属板には、前記ガススプリングの前端部を回動可能に支持する支持溝が体重別に複数備えられたスプリング前端支持部材が備えられており、前記座板支持台は、左右側部と後端部に立ち上がりエッジが備えられた前記座板と重なる大きさを有し、その中央よりも後方の部分に前記ガススプリングの後端部を回動可能に支持するスプリング後端支持部材を備えており、前記座板の後端部と前記座板支持台の中央部とを連結するリンク部材が備えられ、前記座板が、前記ガススプリングの付勢力で前方斜め上方に押し上げられると共に後端部の上昇を前記リンク部材で制限されることにより、全体として湾曲した状態に起き上がる様に構成された起立補助椅子において、見かけ密度が５０〜６５ｋｇ／ｍ３  の低反発ポリウレタンフォームで形成され、前記座板支持台の前記リンク部材の根元から後端部エッジの付近までの長さと、前記座板支持台の左右側部エッジ間の距離とほぼ等しい幅と、前端部で４〜６ｃｍ、後端部で２〜３ｃｍの厚さを有するダンパー部材を、樹脂コーティングにより防水加工したカバーに入れて前記座板支持台に設置したことを特徴とする。
【００１１】
この構成の起立補助椅子によれば、ダンパー部材が座板支持台の上に置かれただけでも、防水加工カバーの作用によって滑り難く、しかも、リンク部材、左右側部エッジ及び荒誕部エッジによってもガードされるので、特に固定手段を講じなくてもよい。また、体重別の支持溝を設けることで、体重の軽い人から重い人まで使用できて汎用性が高い。そして、上述した見かけ密度、厚さ等を採用することで、これら体重の軽い人から重い人まで、誰が使用しても着座時にガクンとなったり、座板が下がりきらなかったりするということを確実に防止することができる。
【００１２】
なお、高反発ポリウレタンフォームを使用してダンパー効果を得ようとすると、体重別に形状や見かけ密度を変更する必要があり、汎用性に欠ける。この点、上述した範囲の見かけ密度の低反発ポリウレタンフォームを使用して、上述したサイズのダンパー部材を構成すれば、ダンパー部材を体重別に用意しなくても、着座時にガクンとなったり座板が下がりきらなかったりすることを確実に防止できるという顕著な効果が発揮される。
【考案を実施するための最良の形態】
【００１３】
次に、本考案の実施の形態を添付図面に従って説明する。本考案の起立補助椅子１は、図１に示す様にブナ材を使用した椅子であって、幅５５ｃｍ、奥行６０ｃｍ、高さ８１ｃｍ、着座時の座面までの高さ４２ｃｍ、座面の幅４２ｃｍ、座面の奥行き４６ｃｍのものである。
【００１４】
図１に示す様に、起立補助椅子１の中心に設けられた座部２は、脚部３に対して、左方向に９０度、右方向９０度回動する様になっている。このため、座部２の下側には、図２〜図５に示す様に、スラスト玉軸受け１３が取り付けられている。また、図１〜図５に示す様に、座部２には、右側、左側、背側にある３つの支持部材７によって、肘掛け９が取り付けられている。そして、背側の支持部材７には、腰部を支持するための腰部支持材１５が固定されている。なお、符号５は、木製の背もたれである。
【００１５】
また、座部２は、座板支持台２１と、座板２３とを備えている。この座板支持台２１は、座板２３の裏側に位置している。また、座板支持台２１と座板２３は、互いの前端部を支点として回動可能な様に取り付けられている。そして、座板支持台２１は、座板２３と重なる大きさを有している。
【００１６】
図１に示す様に、座板支持台２１には、座板２３が下がりきる前に座板２３と接する様な厚みのあるダンパー部材１７が設けられている。このダンパー部材１７は、見かけ密度が６５ｋｇ／ｍ３ の低反発ポリウレタンフォームからなっている。その形状は、図６に示す様に、座板支持台２１の後半分の領域に収まるような形を有し、前端部から後端部に向かって、厚みが徐々に薄くなっている。本実施の形態では、その前端部が厚さ５ｃｍ、後端部が厚さ２．５ｃｍとなっている。ダンパー部材１７は、出し入れ可能なポリエステル製のカバーに入れられている。
【００１７】
また、座板２３の前半分の領域と座板支持台２１の後半分の領域とにかけて、斜めに取り付けられるガススプリング３７が備えられている。ここで、ガススプリング３７の周辺の部品と、座板２３と前記座板支持台２１との間にある部品について、図７を参照しながら、説明する。
【００１８】
座板２３は、表側にシートが布張りされたクッション部２５と、その裏側の熱可塑性樹脂でできた一枚の可撓板２７とから構成されている。この可撓板２７の裏面には、前半分の領域を補強するスチール板２９が取り付けられ、スチール板２９の右端及び左端には、への字型の折り返し部材３３が設けられている。
【００１９】
また、スチール板２９の中央には、２列の溝列３９が設けられている。この溝列３９は、使用者の体重に合わせて、６段階（例えば３５、５０，６０，７５，８０，１０５ｋｇ）に調節できる様に、６つのＵ溝３９ａが設けられている。このＵ溝３９ａに、ガススプリング３７の先端に設けられたブッシング４１に挿入されたピン４３が係合する様になっている。
【００２０】
また、座板支持台２１には、２列の形鋼（アングル）３５が取り付けられている。この形鋼３５の前端に、上述したスチール板２９の折り返し部材３３が、回動自在に支持されている。一方、形鋼３５の後端には、ガススプリング３７の後端が、連結軸４５によって回動可能に、支持されている。
【００２１】
また、座板支持台２１には、コの字状のリンク４７が、座板支持台２１の左右端にある軸受４９に、軸支されている。そして、このリンク４７は、図２に示す様に、座板２３の可撓板２７の後部にある軸受５１に、軸支されている。このリンク４７によって、起立時に、座板２３が湾曲するので、腰と太腿とを支持しやすい形状となっている。
【００２２】
また、座板２３のリンク４７及びベース２１の後端中央部には、それぞれ面ファスナ（メスタイプ）３１ａ及び面ファスナ（オスタイプ）３１ｂが取り付けられている。この面ファスナ３１ａ及び３１ｂをくっつけることにより、座板２３と座板支持台２１とを閉じた状態で保持する様になっている。
【００２３】
実施の形態の起立補助椅子１によれば、図２、図３に示す様に、起立時は、座板２３はガススプリング３７によって、前方斜め上方向に付勢されつつ、リンク４７によって、座板２３の後部が支持されているので、座板２３は湾曲した状態になっている。
【００２４】
この状態から、座板２３に腰掛けると、座板２３は、ガススプリング３７に支えられながら、下方に回動する。このとき、ガススプリング３７は、徐々に水平に近づいていくため、支えるべき荷重が増大していくことになる。そして、水平に対するガススプリング３７の角度が所定角度以下になると、ガススプリング３７にかかる荷重が大きすぎて、ガススプリング３７が座板２３を支え切らなくなる。しかし、本考案の起立補助椅子１によれば、座板２３と座板支持台２１の間に、低反発ポリウレタンフォームのダンパー部材１７を備えているので、ガススプリング３７が座板２３を支え切れなくなっても、ダンパー部材１７が座板２３を支えることとなる。従って、座板２３と座板支持台２１とが閉じるまで、座板２３はゆっくりと下方に回動する。
【００２５】
座板２３と座板支持台２１とが閉じると、図４，図５に示す様に、座板２３が平らになる。
【００２６】
また、立ち上がるときは、ガススプリング３７の付勢力によって、ゆっくりと座板２３が上昇する。これによって老人等が椅子から立ち上がるとき、立ち上がりを補助する作用が発揮される。
【００２７】
以上、本考案の実施例について詳細に説明してきたが、本考案はこれらに限られるものではない。
【００２８】
例えば、この起立補助椅子１によれば、クッション部２５と可撓板２７との間に、シートタイプのヒーターを備えるとよい。そうすれば、クッション部２５が暖まるので、腰掛けることにより腰部を暖めることができる。
【００２９】
また、実施の形態では座部が左右に回動する様にしたが、回動しなくても構わない。
【００３０】
また、木製ではなく、ステンレス製、アルミ合金製など、金属で本体を構成することもできる。木製椅子には、木の暖かみや自然の雰囲気を醸し出し、部屋の中に置いたときに違和感がないという利点がある。これに対し、金属製の場合は、消毒などのメンテナンスが容易で、特に、レンタル用介護商品として使用する場合に適する。ただし、ステンレス製の起立補助椅子は、直接肌が触れると冷たいので、肌が触れる背もたれや肘掛けなどは、カバー材等で覆う様にするとよい。
【００３１】
さらに、起立補助椅子の脚の先端には、滑りを防止するための吸盤や、移動を楽にするためのキャスターをつけてもよい。
【図面の簡単な説明】
【００３２】
【図１】起立補助椅子１の起立時の斜視図である。
【図２】起立補助椅子１の起立時の右側面図である。
【図３】起立補助椅子１の起立時の背面図である。
【図４】起立補助椅子１の着座時の右側面図である。
【図５】起立補助椅子１の着座時の正面図である。
【図６】ダンパー部材１７を示し、（Ａ）は平面図、（Ｂ）は正面図、（Ｃ）は背面図、（Ｄ）は左側面図である。
【図７】座板２３と座板支持部２１の背面斜視図である。
【符号の説明】
【００３３】
１・・・起立補助椅子
２・・・座部
３・・・脚部
５・・・背もたれ
７・・・肘掛け支持部材
９・・・肘掛け
１３・・・スラスト玉軸受
１５・・・腰部支持材
１７・・・ダンパー部材
２１・・・座板支持台
２３・・・座板
２５・・・クッション部
２７・・・可撓板
２９・・・スチール板
３１ａ・・・面ファスナー（メスタイプ）
３１ｂ・・・面ファスナー（オスタイプ）
３３・・・折り返し部材
３５・・・Ｌ字型部材
３７・・・ガススプリング
３９・・・溝列
３９ａ・・・Ｕ溝
４１・・・ブッシング
４３・・・ピン
４５・・・連結軸
４７・・・リンク
４９・・・軸受
５１・・・軸受
【図７】
0003100983.tif 000003
【図１】
0003100983.tif 000004
【図２】
0003100983.tif 000005
【図３】
0003100983.tif 000006
【図４】
0003100983.tif 000007
【図５】
0003100983.tif 000008
【図６】
0003100983.tif 000009